(57)【要約】【課題】路面の舗装層に埋設した配管に加温された熱媒体を流すことによって路面の融雪ないし凍結防止を行い、更に当該配管に流した冷水に路面の熱を伝達して給湯を行うことを可能にする技術に関し、熱媒体管の設置が容易であると共に施工時間も短縮でき、また熱媒体管が損傷したときの路面の部分的な補修も容易に可能な融雪舗装構造を得る。【解決手段】路面を舗装する舗装ブロックを基礎ブロック１と上蓋ブロック２とに二分し、基礎ブロック１には熱媒体管の位置を規定する管受部６を設け、この管受部に嵌め込んだ状態で配設した熱媒体管４を上蓋ブロック２によって上から押えて固定する。上蓋ブロック２には、熱媒体管４を押える部分に伝熱材層を設ける。又は、平面方向に熱を分散させる伝熱部材３を埋設して当該伝熱部材を熱媒体管４を押える部分に露出させる。【選択図】      図１
2007032256.tif 000002
【特許請求の範囲】
【請求項１】
平面に敷設される基礎ブロック(1)と、この基礎ブロックに覆着される上蓋ブロック(2)とを備え、基礎ブロック(1)は上蓋ブロック(2)との間に配置される熱媒体管(4)の配管位置を規定する管受部(6)を備え、上蓋ブロック(2)は前記管受部で位置設定された熱媒体管の周面に接触する伝熱溝(10)を備えている、融雪舗装ブロック。
【請求項２】
多数個を平面に隙間無く並べることができる平面形状を備えた基礎ブロック(1)と、この基礎ブロックに覆着される平面同形の上蓋ブロック(2)とからなり、基礎ブロック(1)はその周縁２箇所に管受部(6)を備え、上蓋ブロック(2)は前記２箇所の管受部に両端が連なる伝熱溝(10)を備えており、前記伝熱溝の溝面に可塑性伝熱材層(30)を備えている、融雪舗装ブロック。
【請求項３】
多数個を平面に隙間無く並べることができる平面形状を備えた基礎ブロック(1)と、この基礎ブロックに覆着される平面同形の上蓋ブロック(2)とからなり、基礎ブロック(1)はその周縁２箇所に管受部(6)を備え、上蓋ブロック(2)は前記２箇所の管受部に両端が連なる伝熱溝(10)を備えており、前記伝熱溝の溝面に上蓋ブロック内に埋設された伝熱板(3)の円弧屈曲部(11)が露出している、融雪舗装ブロック。
【請求項４】
平面に敷設される基礎ブロック(1c)と、この基礎ブロックに覆着される上蓋ブロック(2c)とを備え、基礎ブロック(1c)は上面に光電変換器を収納した凹所(5)を備えてその周縁に熱媒体管(4)の配管位置を規定する管受部(6)と前記光電変換器のケーブルを挿通する配線溝(18)とを備え、上蓋ブロック(2c)は前記位置規定された熱媒体管の周面に接触する伝熱溝(10)と前記凹所に対向する透明体窓(20)とを備えている、融雪舗装ブロック。
【請求項５】
前記透明体窓(20)の透明体が、通過する光を屈折ないし全反射させて前記光電変換器(15)に集光させる、請求項４記載の融雪舗装ブロック。
【請求項６】
敷設された多数の基礎ブロック(1)と、この基礎ブロックに覆着された上蓋ブロック(2)と、基礎ブロック(1)と上蓋ブロック(2)とで挟持された状態で当該多数の基礎ブロック上に配設された熱媒体管(4)とを備え、前記上蓋ブロックは、前記熱媒体管の周面に接触する伝熱溝(10)を備えている、融雪路面構造。
【請求項７】
前記上蓋ブロックに埋設設置されて前記伝熱溝の溝面に露出して前記熱媒体管の周面に接触する伝熱板(3)を備えている、請求項６記載の融雪路面構造。
【発明の詳細な説明】
【技術分野】
【０００１】
この発明は、路面の舗装層に埋設した配管に加温された熱媒体を流すことによって路面を加温して当該路面の融雪ないし凍結防止を行い、更に、当該配管に流した水に太陽熱で加熱された路面の熱を伝達して給湯を行うことを可能にする技術に関するものである。
【背景技術】
【０００２】
コンクリートやアスファルトで舗装された路面の当該コンクリートやアスファルトの層内に金属管や樹脂管を埋設し、地上の温度が低くなって路面に積雪や凍結のおそれが生じたときに、埋設した金属管や樹脂管に温水その他の熱媒体を流すことにより、舗装面を内部から加温し、その熱で路面の融雪や凍結防止を行う技術は公知である。
【０００３】
この従来の融雪舗装構造は、平らな基礎面を形成して、その上に金属管や樹脂管からなる熱媒体管をジグザグ状に配置し、これを埋め込むように下地コンクリート層を施工し、その上に表面舗装を施すというものである。路面に積雪や凍結のおそれがあるときは、ボイラなどで加温した水その他の熱媒体を熱媒体管に流して路面を内部から暖め、その熱で路面の融雪や凍結防止を行う。
【特許文献１】特開２００３−２３９２１５号公報
【発明の開示】
【発明が解決しようとする課題】
【０００４】
上記のような従来の融雪舗装構造は、基盤上に熱媒体管を配置するときの管の位置決めや固定が面倒で時間がかかること、熱媒体管を埋設した下地コンクリート層が硬化した後でなければ路面の転圧仕上げを行うことができないことなどのために、施工が面倒で時間がかかるという問題があった。また、地盤の不等沈下や不等隆起によって熱媒体管が損傷したとき、これを部分的に補修することが非常に困難であるという問題があった。
【０００５】
この発明は、上記の問題を解決するためになされたもので、熱媒体管の設置が容易であると共に施工時間も短縮でき、また熱媒体管が損傷したときの路面の部分的な補修も容易に可能な融雪舗装構造を得ることを課題としている。
【課題を解決するための手段】
【０００６】
この発明は、基盤上に敷設することによって路面を舗装する舗装ブロックを基礎ブロック１（１ａ〜１ｃ、１ｘ、１ｙ）とその上に覆着される上蓋ブロック２（２ａ〜２ｃ、２ｘ、２ｙ）とに二分し、基礎ブロック１には路面下に配置される熱媒体管の位置を規定する管受部６（６ａ、６ｂ）を設けておき、この管受部に嵌め込んだ状態で配設した熱媒体管４を基礎ブロック１上に覆着される上蓋ブロック２によって上から押えて固定する構造の融雪舗装ブロックを提供するものである。
【０００７】
熱媒体管４は、基礎ブロック１の上面周縁部に設けた管受部６により基礎ブロック１上で位置決めされている。管受部６は、基礎ブロック１の周縁部に成形した凹部６ａや、基礎ブロック１の周縁部に植立され又は固定されたピンや金具６ｂにより形成できる。上蓋ブロック２には、管受部６で位置決めされた熱媒体管４の周面に面接触する伝熱溝１０を形成する。
【０００８】
上蓋ブロック２には、熱媒体管４の間の伝熱を促進する構造を備えさせる。また、基礎ブロック１側には、断熱性を高める構造を付与する。これにより、熱媒体管４を流れる熱媒体の熱が効率よく路面に伝達され、太陽光による路面の熱が効率よく熱媒体管を流れる熱媒体に伝えられる。
【０００９】
基礎ブロック１に断熱性を付与する構造としては、例えば、ブロックのコンクリートに微細気泡や断熱材を混入し、あるいは熱媒体管４との間に断熱材層２６や空気層５を設ける。また、基礎ブロック１の底面に断熱材層や浅い凹所２７を設けることにより、基盤と基礎ブロック１との間の断熱性を高めることができる。上蓋ブロック２の伝熱性を高める構造としては、例えば、金属粉などの熱良導体を混入したコンクリートで上蓋ブロック２を成型する構造、熱媒体管４を押える伝熱溝１０の周面に瀝青、タールなどの可塑性を備えた伝熱材層３０を設ける構造が採用できる。更に、熱媒体管４を押える伝熱溝１０の溝面に露出する円弧屈曲部１１を設けた熱良導体の伝熱板３を埋設成型することにより、熱媒体管４と路面との間の効率の良い伝熱を図ることができる。
【００１０】
基礎ブロック１及び上蓋ブロック２は、必ずしも平面形状を同一にしなくてもよいが、共に一又は複数種の平面形状のものを敷き並べることによって、隣接する基礎ブロック相互及び隣接する上蓋ブロック相互並びに基礎ブロック１とその上に覆着される上蓋ブロック２との位置関係が規定される形状とする。また、上蓋ブロック２は、一種又は複数種の形状の組合せによって目地を除いて隙間なく敷き並べることができる平面形状とする。
【００１１】
隣接する基礎ブロック相互及び上蓋ブロック相互は、その外周辺の当接ないし嵌合により位置決めされる。基礎ブロック１（１ａ〜１ｃ、１ｘ、１ｙ)とその上に覆着される上蓋ブロック２（２ａ〜２ｃ、２ｘ、２ｙ）とは、その当接面、すなわち基礎ブロックの上面と上蓋ブロックの下面とに設けた凹凸５、９の嵌合により、又は両ブロック間で位置固定されている熱媒体管４を介して水平方向に位置決めされる。
【００１２】
本願の請求項１の発明に係る融雪舗装ブロックは、平面に敷設される基礎ブロック１（１ａ〜１ｃ、１ｘ、１ｙ)と、この基礎ブロックに覆着される上蓋ブロック２（２ａ〜２ｃ、２ｘ、２ｙ）とを備え、基礎ブロック１は上蓋ブロック２との間に配置される熱媒体管４の配管位置を規定する管受部６（６ａ、６ｂ)を備え、上蓋ブロック２は前記管受部で位置設定された熱媒体管４の周面に接触する伝熱溝１０を備えている融雪舗装ブロックである。
【００１３】
本願の請求項２の発明に係る融雪舗装ブロックは、多数個を平面に隙間無く並べることができる平面形状を備えた基礎ブロック１（１ａ〜１ｃ、１ｘ、１ｙ)と、この基礎ブロックに覆着される平面同形の上蓋ブロック２（２ａ〜２ｃ、２ｘ、２ｙ)とからなり、基礎ブロック１はその周縁２箇所に管受部６（６ａ、６ｂ)を備え、上蓋ブロック２は前記２箇所の管受部に両端が連なる伝熱溝１０を備えており、前記伝熱溝の溝面に可塑性伝熱材層３０を備えている融雪舗装ブロックである。
【００１４】
また、本願の請求項３の発明に係る融雪舗装ブロックは、多数個を平面に隙間無く並べることができる平面形状を備えた基礎ブロック１（１ａ〜１ｃ、１ｘ、１ｙ)と、この基礎ブロックに覆着される平面同形の上蓋ブロック２（２ａ〜２ｃ、２ｘ、２ｙ)とからなり、基礎ブロック１はその周縁２箇所に管受部６（６ａ、６ｂ)を備え、上蓋ブロック２は前記２箇所の管受部に両端が連なる伝熱溝１０を備えており、前記伝熱溝の溝面に上蓋ブロック内に埋設された伝熱板３（３ａ、３ｃ)の円弧屈曲部１１が露出している融雪舗装ブロックである。
【００１５】
本願の請求項６の発明に係る融雪路面構造は、敷設された多数の基礎ブロック１（１ａ〜１ｃ、１ｘ、１ｙ)と、この基礎ブロックに覆着された上蓋ブロック２（２ａ〜２ｃ、２ｘ、２ｙ)と、基礎ブロック１と上蓋ブロック２とで挟持された状態で当該多数の基礎ブロック上に配設された熱媒体管４とを備え、前記上蓋ブロックは、前記熱媒体管の周面に接触する伝熱溝１０を備えている融雪路面構造である。
【００１６】
本願の請求項７の発明に係る融雪路面構造は、上記請求項６記載の構造を備えた融雪路面構造において、前記上蓋ブロックに埋設設置されて前記伝熱溝の溝面に露出して前記熱媒体管の周面に接触する伝熱板３（３ａ、３ｃ)を備えていることを特徴とする融雪路面構造である。
【００１７】
この発明の融雪舗装構造は、平面に仕上た基盤面上に基礎ブロック１を敷き並べ、それによって形成される複数の管受部６に熱媒体管４を嵌め込んで配置し、その上に上蓋ブロック２を覆着して目地７をモルタル等で埋めることによって施工される。熱媒体管４として可撓性のある樹脂管を用いることにより、敷設された基礎ブロック１上への熱媒体管４の配置及び位置決めを極めて迅速かつ容易に行うことができる。
【００１８】
基礎ブロック１上に配置された熱媒体管４は、その外周上面を上蓋ブロック２の伝熱溝１０の周面に面接触した状態で固定される。伝熱溝１０の周面に可塑性の伝熱材層３０を設けることにより、上蓋ブロック２と熱媒体管４との良好な密着性が得られる。また、上蓋ブロック２に埋設した伝熱部材３の露出部分１１によって上から押接されて固定される。熱媒体管４の外周上面と伝熱部材３とが直接接触しているため、熱媒体管４に流した媒体の熱が伝熱部材３に伝えられて上蓋ブロック２に平面的に拡散される。
【００１９】
本願の請求項４の発明に係る融雪舗装ブロックは、平面に敷設される基礎ブロック１ｃと、この基礎ブロックに覆着される上蓋ブロック２ｃとを備え、基礎ブロック１ｃは上面に光電変換器１５を収納した凹所５を備えてその周縁に熱媒体管４の配管位置を規定する管受部６と前記光電変換器のケーブルを挿通する配線溝１８とを備え、上蓋ブロック２ｃは前記位置規定された熱媒体管の周面に接触する伝熱部材３ｃと前記凹所に対向する透明体窓２０とを備えていることを特徴とするものである。
【００２０】
また本願の請求項５の発明に係る融雪舗装ブロックは、上記請求項３記載の手段を備えた融雪舗装ブロックにおいて、前記透明体窓２０の透明体が、通過する光を屈折ないし全反射させて前記光電変換器１５に集光させることを特徴とするものである。光を屈折させる透明体は、例えばロッドレンズであり、光を全反射させる透明体は、例えばプリズムである。
【００２１】
上記構造のブロックを用いて施工した舗装構造は、寒冷時には熱媒体管４にボイラなどで加熱した温水などを流してその熱を路面に伝えることにより融雪ないし凍結防止を行い、夏季には路面の熱を熱媒体管４を流れる冷水などに伝熱して給湯の熱源として用いることができ、また晴天時には光電変換器（ソーラーパネル）１５で太陽熱発電を行うことができる。
【発明の効果】
【００２２】
この発明の融雪舗装ブロックを用いた舗装構造によれば、寒冷地には熱媒体管４に加温媒体を流すことによって路面を加温して、積雪や凍結を防止することができ、一方、夏季においては、太陽熱で加熱された路面の熱を熱媒体管４を流れる水、その他の熱媒体に吸収させて給湯などの熱源として利用できると共に、路面の温度上昇が抑えられてヒートアイランド現象を抑制することができる。
【００２３】
この発明の路面舗装構造は、基盤上に敷き並べた基礎ブロック１管受部６に嵌め込むことによって熱媒体管４の位置決めが行われるので、熱媒体管４の設置作業が極めて迅速かつ容易に行うことができると共に、熱媒体管４の設置後、すぐに上蓋ブロック２の敷設を行うことができ、従来のように熱媒体管を埋設したコンクリート層の硬化を待つ必要がないので、施工時間も大幅に短縮できる。
【００２４】
また、熱媒体管４が損傷したときに、路面の一部の上蓋ブロック２を除去し、更に必要があれば一部の基礎ブロック１を除去して、基盤面を補修して要すれば新たな基礎ブロック１敷設し、切断除去した熱媒体管４を繋ぎ直して新しい上蓋ブロック２を敷設するという作業で、部分的な路面の補修を行うことができるという効果がある。
【００２５】
また、上蓋ブロック２に設けた伝熱溝１０に可塑性の伝熱材層３０を設けることにより、上蓋ブロック２と熱媒体管４とが密着して両者の間の良好な伝熱が得られる。また、上蓋ブロック２内に埋設した熱良導体からなる伝熱部材３で熱媒体管４の上面を押圧して固定する構造を採用することにより、路面と熱媒体管４を流れる熱媒体との間の伝熱効率を向上させて、熱効率の向上を図ることができる。
【００２６】
また、上蓋ブロック２ｃに透明体窓２０を設けて、基礎ブロック１ｃの凹所５に配置した光電変換器１５に太陽光を照射する構造とすれば、晴天時に路面に降り注ぐ太陽光で発電を行うことができ、広大な面積を占める道路面にこのような舗装構造を施工することによって、相当量の電力の供給を賄うことができるという効果がある。
【発明を実施するための最良の形態】
【００２７】
以下、図面を参照してこの発明の実施形態を説明する。図１は第１実施形態の融雪舗装構造を一部を破壊して示す部分斜視図で、１ａ及び１ｘは基礎ブロック、２ａ及び２ｘは上蓋ブロックであり、これらは共にコンクリート成型工場内で成型されたコンクリート二次製品である。基礎ブロック１ａの斜視図を図２に、上蓋ブロック２ａの断面図を図３に、上蓋ブロック２ａに埋設されている伝熱板３ａの斜視図を図４にそれぞれ示してある。
【００２８】
基礎ブロック１ａ、１ｘ及び上蓋ブロック２ａ、２ｘは、平面視で同形の正方形である。基礎ブロック１ａ、１ｘの上面には、熱媒体管４の径より僅かに深い正方形状の凹所５が形成されている。基礎ブロック１ａの縁部分の対向２辺の中央には、最低部がこの凹所５の底面と同一深さとなるＵ字状の管受部６ａが形成されている。舗装構造の両側辺に配置される基礎ブロック１ｘの管受部６ａは、隣接する２辺に設けられ、熱媒体管４は、これらの基礎ブロック１ｘの凹所５内で９０度屈曲している。
【００２９】
熱媒体管４は、これらの基礎ブロック１ａ、１ｘの管受部６ａで途中を位置決めされた状態で、舗装構造の基礎ブロック１ａ、１ｘと上蓋ブロック２ａ、２ｘとの間にジグザグ状に配置されている。熱媒体管４と接する管受部６ａの底部には、発泡コンクリートなどの半円環状の断熱体を埋設しておくのが好ましい。
【００３０】
基礎ブロック１ａ、１ｘの管受部６ａを設けた部分の外側側面に、ブロックを敷設するときの目地７の幅に相当する突出部８が成型されている。
【００３１】
上蓋ブロック２ａ、２ｘは、基礎ブロックの凹所５に嵌合する、熱媒体管４の半径と略等しい高さの突部９を備えている。この突部９と凹所５との嵌合により、上蓋ブロック２ａ、２ｘは基礎ブロック１ａ、１ｘ上に位置決めして載置される。上蓋ブロック２ａ、２ｘの突部９には、対向する凹所５内の熱媒体管４の延在方向に沿う方向、すなわち、上蓋ブロック２ａにおいては直線状で、上蓋ブロック２ｘにおいては９０度円弧状の逆Ｕ字方の伝熱溝１０が形成されている。この伝熱溝１０の深さは、上蓋ブロック２ａ、２ｘを基礎ブロック１ａ、１ｘに覆着したときに、管受部６ａ及び凹所５の底面との間で熱媒体管４の上下を挟持する深さである。
【００３２】
上蓋ブロックの突部９は、凹所５の底面に達する高さを備えていなくてもよい。凹所５の底面と突部９の下面との間に形成される空間は断熱空間となる。
【００３３】
伝熱溝１０は、少なくとも熱媒体管４の外周上半分を覆う深さで形成され、その周面には図４に示す伝熱板３ａの円弧屈曲部１１が露出している。すなわち、伝熱板３ａは、その円弧屈曲部１１が伝熱溝１０の底面に露出するうようにして、かつその両側に延びる伝熱羽根１２を上蓋ブロック２ａに埋設した状態で設けられている。
【００３４】
伝熱板３ａは、上蓋ブロック２の補強を兼ねた鉄板製とし、中央に伝熱管４の上面に面接触する円弧屈曲部１１を形成し、その両側に一体に延びる伝熱羽根１２を上蓋ブロック２ａ内に埋設して、円弧屈曲部１１の熱が上蓋ブロック２ａ全体に伝熱されるようにする。伝熱羽根１２には、上向きの多数の切起し１３を設けて、ブロック上面側への伝熱面積を大きくしている。
【００３５】
図１に示す舗装構造体は、平面に転圧した基盤上に基礎ブロック１ａ、１ｘを底面を敷きモルタルで固定して敷設し、その上に熱媒体管４を管受部６ａに嵌装して、構造体側辺の基礎ブロック１ｘの部分で９０度ずつ屈曲してＵターンさせながら、ジグザグに配置し、その上に上蓋ブロック２ａ、２ｘをモルタルで接合して覆着し、ブロックの隙間に目地モルタルを埋めることにより構築される。熱媒体管４の端部は、従来構造と同様な接続ブロックを用いて、温水ボイラ等への配管と接続する。
【００３６】
図５は第２実施形態の融雪舗装構造を一部を破壊して示す部分斜視図で、１ｂ、１ｙは基礎ブロック、２ｂ、２ｙは上蓋ブロックである。図６は上蓋ブロック２ｂを下方から見た斜視図、図７は熱媒体管４が配置されている部分の部分断面図である。
【００３７】
第２実施形態における基礎ブロック１ｂ、１ｙ及び上蓋ブロック２ｂ、２ｙは、平面視で同形の矩形で、基礎ブロック１ｂ、１ｙの短辺中央には、ブロックを持上げるときの手掛けとなる凹所２５が形成されている。基礎ブロック１ｂ、１ｙの上面は、断熱材層２６を設けた平らな平面であり、下面には断熱空気層となるブロック長手方向の浅い凹所２７が形成されている。断熱材層２６は、例えば微細気泡を含むセラミックコーティング層、発泡樹脂の塗布層、樹脂シート等である。断熱材層２６及び凹所２７は、熱媒体管４から基盤ブロック１ｂ、１ｘや道路基盤に熱が伝わることにより生ずる熱損失を減らすために設けたものである。
【００３８】
基礎ブロック１ａ、１ｘ上に伝熱管４を位置決めする管受部６ｂは、基礎ブロック１ａ、１ｘの周縁に成形した一対のピン孔２８に差込んだ一対のピンで形成している。
【００３９】
上蓋ブロック２ａ、２ｘの下面には、管受部６ｂで基礎ブロック１ａ、１ｘ上に位置決めされた熱媒体管４の延在方向に沿う方向、すなわち、上蓋ブロック２ａでは２本の平行な直線状で、舗装構造の端辺の上蓋ブロック２ｘではＵ字状又は互いに背反する方向に９０度屈曲する２本の円弧状の伝熱溝１０が形成されている。
【００４０】
第２実施形態の伝熱溝１０は、図７に示すように断面台形で、熱媒体管４の半径よりも深い深さである。伝熱溝１０の両端の管受部６ｂと対抗する部分には、溝幅を拡げた形状の凹部３１が設けられている。伝熱溝１０の内面には可塑性がある瀝青やピッチなどを塗着した伝熱材層３０が設けられ、この伝熱材層３０が伝熱溝１０と熱媒体管４の間に充填されて、両者の間に形成される空気層により伝熱効率が低下するのを防止している。
【００４１】
基盤上に基礎ブロック１ｂ、１ｙに敷設してその上に熱媒体管４を配置し、そのあと上蓋ブロック２ｂ、２ｙがモルタルなどで接合した状態で覆着される。上蓋ブロック２ｂ、２ｙは、基礎ブロック１ｂ、１ｙに覆着されるときに、対応する基礎ブロックの管受部６ｂで位置決めされた熱媒体管４に伝熱溝１０が嵌合することにより、位置決めされる。伝熱溝１０を台形断面とすることにより、上蓋ブロック２ｂ、２ｙの正確な位置決めが可能である。
【００４２】
図８は、第３実施形態の舗装構造を一部破壊して示す部分斜視図である。この第３実施形態は、路面下への熱媒体管４の配設と太陽熱発電を行うための光電変換器１５を内蔵している。図９及び図１０はこの第３実施形態の上蓋ブロック２ｃの斜視図及び断面図、図１１は基礎ブロック１ｃの斜視図、図１２は上蓋ブロックに埋設される伝熱板３ｃの斜視図である。
【００４３】
基礎ブロック１ｃには、第１実施形態と同様な凹所５が設けられており、その対向２辺（舗装構造の側辺に配置される基礎ブロックでは隣接２辺）には、熱媒体管４用の管受部６ａと配線溝１８との２個の溝部が設けられている。管受部６ａには、第１実施形態と同様に、熱媒体管４が配置され、配線溝１８は、光電変換器１５に接続される電気ケーブル１９の通路となっている。凹所５の底面には、光電変換器（ソーラパネル）１５が固定されており、このソーラパネル１５に接続されるケーブル１９が配線溝１８を通って配線されている。
【００４４】
上蓋ブロック２ｃは、第１実施形態と同様に、下面に基礎ブロックの凹所５と嵌合する突部９を備えており、この突部に基礎ブロックの管受部６ａと対向する位置を両端とする伝熱溝１０が設けられている。上蓋ブロック２ｃは、この伝熱溝１０の両側部分に、ポリカーボネートなどの透明樹脂や強化ガラス製の透明体を嵌め込んだ透明体窓２０を備えている。上蓋ブロック２ｃに埋設される伝熱板３ｃは、図１２に示すように、透明体窓２０部分に切抜き窓２１を設けた形状となっている。
【００４５】
この第３実施形態のブロックで施工された融雪舗装構造は、寒冷時に熱媒体管４に温媒体を流して路面の融雪や凍結防止を行い、夏季には路面の熱を熱媒体管４を流れる冷媒体に伝熱して給湯設備などの熱源とするほか、晴天時には光電変換器１５の発電電気をバッテリーに蓄えて使用することができる。
【図面の簡単な説明】
【００４６】
【図１】第１実施形態の融雪舗装構造を一部を破壊して示す部分斜視図
【図２】第１実施形態の基礎ブロックの斜視図
【図３】同上蓋ブロックの断面図
【図４】同上蓋ブロックに埋設されている伝熱板の斜視図
【図５】第２実施形態の融雪舗装構造を一部を破壊して示す部分斜視図
【図６】第２実施形態の上蓋ブロックを下方から見た斜視図
【図７】第２実施形態の熱媒体管配置部分の部分断面図
【図８】第３実施形態の舗装構造を一部破壊して示す部分斜視図
【図９】第３実施形態の上蓋ブロックの斜視図
【図１０】同断面図
【図１１】第３実施形態の基礎ブロックの斜視図
【図１２】第３実施形態の上蓋ブロックに埋設されている伝熱板の斜視図
【符号の説明】
【００４７】
1a〜1c,1x,1y  基礎ブロック
2a〜2c,2x,2y  上蓋ブロック
3a,3c  伝熱板
４  熱媒体管
５  凹所
6a,6b  管受部
９  突部
10  伝熱溝
11  円弧屈曲部
15  光電変換器
18  配線溝
20  透明体窓
26  断熱材層
27  凹所
30  伝熱材層
【図１】
2007032256.tif 000003
【図２】
2007032256.tif 000004
【図３】
2007032256.tif 000005
【図４】
2007032256.tif 000006
【図５】
2007032256.tif 000007
【図６】
2007032256.tif 000008
【図７】
2007032256.tif 000009
【図８】
2007032256.tif 000010
【図９】
2007032256.tif 000011
【図１０】
2007032256.tif 000012
【図１１】
2007032256.tif 000013
【図１２】
2007032256.tif 000014